(57)【要約】【課題】水密性、耐久性、水質に対する安全性に優れ、かつ、経済性、施工性に富んだコンクリート製水槽の内張り方法を提供する。【解決手段】コンクリート製水槽の内張り方法は、コンクリート製水槽１の内面全面に、コンクリート面に直に複数のステンレス鋼板６を隣り合うステンレス鋼板６が互いに部分的に重なるようにピン７を打設することにより取付ける鋼板取付工程と、鋼板取付工程により取付けられたステンレス鋼板６の重ね合わせ部８に全線にわたってスミ肉溶接を施す溶接工程とを含んでいる。【選択図】　　　　　　図１
2004067211.tif 000002
【特許請求の範囲】
【請求項１】
コンクリート製水槽の内面全面に、コンクリート面に直に複数のステンレス鋼板を隣り合う前記ステンレス鋼板が互いに部分的に重なるようにピンを打設することにより取付ける鋼板取付工程と、
該鋼板取付工程により取付けられた前記ステンレス鋼板の重ね合わせ部に全線にわたってスミ肉溶接を施す溶接工程とを含むことを特徴とするコンクリート製水槽の内張り方法。
【請求項２】
ピンを打設後、ピンのフランジ部の周囲を前記ステンレス鋼板にスミ肉溶接することを特徴とする請求項１記載のコンクリート製水槽の内張り方法。
【発明の詳細な説明】
【０００１】
【産業上の利用分野】
本発明は、コンクリート製水槽の内面にステンレス鋼板を張り付けるコンクリート製水槽の内張り方法に関する。
【０００２】
【従来の技術】
農業用水、工業用水、及び飲料水等の水を貯蔵するための受水池、配水池等のコンクリート製水槽は、地上あるいは地下に設置されて使用される。このコンクリート製水槽は、長年使用していると、劣化したり、あるいは地震等によってひび割れが入り、水槽内から外に漏水したり、地下に設置されている場合にはそのひび割れ部分から地下水が浸水してしまうようなことがある。
【０００３】
このようにコンクリート製水槽が劣化したり、コンクリート製水槽にひび割れが入った場合等には、一般に次の方法でコンクリート製水槽を補修している。
まず、第１の方法は、コンクリート製水槽の内面全面に、セメント系剤又は樹脂剤を吹き付け等により塗布する方法である。これにより、セメント系剤又は樹脂剤の作用で、ひび割れした部分からの漏水や、地下水の浸水等を防止することができる。
【０００４】
次に、第２の方法は、図３に示すように、コンクリート製水槽の内面全面に、長手方向に延びる複数のステンレス鋼製のプレート１０１を隣接するプレート１０１同士が所定間隔開くように打ち込み式アンカーボルト１０２により固定し、その後、隣接するプレート１０１上にこれらプレート１０１を跨ぐように複数のステンレス鋼板１０３を互いに隣り合うステンレス鋼板１０３が一部において重なるように載置するとともに、重ね合わせ部分１０４を全線にわたって溶接する方法である。これにより、ステンレス鋼板１０３の作用でひび割れした部分からの漏水や地下水の浸水等を防止することができる。
【０００５】
【発明が解決しようとする課題】
しかしながら、これら従来のコンクリート製水槽の補修方法にあっては、以下の問題点があった。
即ち、セメント系剤又は樹脂剤を吹き付け等により塗布する方法では、水密性に乏しく、また、劣化したコンクリートとともに剥がれ落ちたりする危険性があって耐久性に劣っていた。
【０００６】
また、ステンレス鋼製のプレート１０１を打ち込み式アンカーボルト１０２により固定し、ステンレス鋼板１０３を溶接する方法では、ステンレス鋼板１０３のほかにプレート１０１を用いるため材料の重量が重く、費用も高く、経済性に問題があった。また、プレート１０１をコンクリート製水槽の内面に打ち込み式アンカーボルト１０２により固定してから、ステンレス鋼板１０３を溶接するため、作業性、施工性に問題があった。
【０００７】
従って、本発明は上述の問題に鑑みてなされたものであり、その目的は、水密性、耐久性に優れ、かつ、経済性、施工性に富んだコンクリート製水槽の内張り方法を提供することにある。
【０００８】
【課題を解決するための手段】
上記課題を解決するため、本発明のうち請求項１に係るコンクリート製水槽の内張り方法は、コンクリート製水槽の内面全面に、コンクリート面に直に複数のステンレス鋼板を隣り合う前記ステンレス鋼板が互いに部分的に重なるようにピンを打設することにより取付ける鋼板取付工程と、該鋼板取付工程により取付けられた前記ステンレス鋼板の重ね合わせ部に全線にわたってスミ肉溶接を施す溶接工程とを含むことを特徴としている。
【０００９】
このコンクリート製水槽の内張り方法によれば、鋼板取付工程において、コンクリート製水槽の内面全面に、コンクリート面に直に複数のステンレス鋼板を隣り合うステンレス鋼板が互いに部分的に重なるようにピンを打設することにより取付け、溶接工程において、鋼板取付工程により取付けられたステンレス鋼板の重ね合わせ部に全線にわたってスミ肉溶接を施し、これにより、ステンレス鋼板をコンクリート製水槽の内面全面に内張りすることができる。
【００１０】
また、ピンを打設後、ピンのフランジ部の周囲をステンレス鋼板にスミ肉溶接することにより、さらに漏水や浸水の防止を改善することができる。
【００１１】
【発明の実施の形態】
本発明の実施の形態を図面を参照して説明する。図１は本発明に係る内張り方法によってステンレス鋼板が内張りされたコンクリート製水槽の一部を断面した斜視図である。図２はピン打設機によりピンを打設する方法を説明するための断面図である。
【００１２】
図１に示すコンクリート製水槽１は、農業用水、工業用水、及び飲料水等の水を貯蔵するための受水池、配水池等に使用され、底壁２と、底壁２の一方向両端から立ち上がる１対の側壁３（一方のみ図示）と、底壁２の一方向に対して直交する方向の両端から立ち上がる１対の端壁４（一方のみ図示）と、側壁３及び端壁４の上端に設けられた頂壁５とを備えている。コンクリート製水槽１には、図示しない作業者の入口が設けられ、また、図示しない流入菅や流出菅も設置されている。このコンクリート製水槽１は、地上あるいは地下に設置される。
【００１３】
このコンクリート製水槽１を、長年使用していると、劣化したり、あるいは地震等によってひび割れが入り、水槽１内から外に漏水したり、地下に設置されている場合にはそのひび割れ部分から地下水が浸水してしまうようなことがある。そこで、図１に示すコンクリート製水槽１にあっては、コンクリート製水槽１が劣化し、ひび割れ等が生じた際に、コンクリート製水槽１の底壁２、側壁３、端壁４、及び頂壁５の内面全面に複数のステンレス鋼板６を内張りして補修するようにする。
【００１４】
この内張り方法を詳細に説明する。先ず、図１及び図２において長さｌ、幅ｗ、及び厚さｔを有し、複数のピン用貫通孔６ａを形成した矩形状のステンレス鋼板６を用意する。本実施形態にあって、このステンレス鋼板６の長さｌは約２０００ｍｍ、幅ｗは約１０００ｍｍ、厚さｔは２ｍｍとし、鋼種としてＳＵＳ３１６が使用されるがこれに限定されるものではない。但し、ステンレス鋼板６の厚さｔは、２ｍｍよりも厚いと重量が重くなり、経済的でなくなるので、２ｍｍ以下とすることが好ましい。
【００１５】
そして、コンクリート製水槽１が劣化し、ひび割れ等が生じたら、作業者がコンクリート製水槽１の中に入り込み、コンクリート製水槽１の底壁２、側壁３、端壁４、及び頂壁５の内面全面に、既設コンクリート面に直に複数の前述のステンレス鋼板６を隣り合うステンレス鋼板６が図２に示すように互いに部分的に重なるようにピン７を打設することにより取付ける。ピン７は、図２に示すように、軸部７ａと、軸部７ａの先端に設けられた先鋭部７ｃと、軸部７ａの頭部に設けられたフランジ部７ｂとからなり、ステンレス鋼板６と同種のステンレス鋼で製造される。ピン７の打設においては、ピン７の先鋭部７ｃをステンレス鋼板６のピン用貫通孔６ａにあてがっておいてから、ピン打設機１１のノズル１１ａから吹き出るエア圧力によりピン７のフランジ部７ｂを打設することによりコンクリート壁（図２においては、側壁３）に打ち込む。なお、ステンレス鋼板６に形成されるピン用貫通孔６ａの数は、単独のピン７によりステンレス鋼板６を支持できる場合には、複数でなく１つであってもよい。また、ピン用貫通孔６ａの形成ピッチは、任意で、支持されるステンレス鋼板６の重量等により適宜決定される。
【００１６】
ピン打設によりステンレス鋼板６をコンクリート製水槽１の内面全体に取り付けた後、取付けられたステンレス鋼板の重ね合わせ部８（図１及び図２参照）に全線にわたってスミ肉溶接９を施す。さらに、打設したピン７のフランジ部７ｂの周囲もステンレス鋼板にスミ肉溶接１０する。これにより、コンクリート製水槽１の内面全体にステンレス鋼板６が内張りされ、コンクリート製水槽１が補修されることになる。またさらに、ピン７のフランジ部７ｂをステンレス鋼板６にスミ肉溶接することにより、ピン打設部からの漏水や浸水もより完全に防止できる。
【００１７】
以上のように、コンクリート製水槽１の内面全体にステンレス鋼板６を内張りすると、ステンレス鋼板６及びスミ肉溶接部分の作用で、水密性の高い状態でひび割れした部分から漏水したり地下水の浸水等を完全防止することができる。
そして、ステンレス鋼板６をピン７を打設することによりコンクリート製水槽１の内面に取付けているので、劣化したコンクリートとともに剥がれ落ちたりする危険性がなく、耐久性にも優れたコンクリート製水槽の内張り方法とすることができる。
【００１８】
さらに、コンクリート製水槽１の内面全面に当該既設コンクリート面に直に複数のステンレス鋼板６をピン７を打設することにより取付ける鋼板取付工程と、この鋼板取付工程により取付けられたステンレス鋼板６の重ね合わせ部８に全線にわたって溶接を施す溶接工程のみにより、ステンレス鋼板６の内張りが行えるので、従来のように、ステンレス鋼製のプレート１０１を打ち込み式アンカーボルト１０２により固定する必要はなく、材料も軽く経済性に富み、かつ、作業性、施工性の優れたコンクリート製水槽の内張り方法とすることができる。
【００１９】
以上、本発明の実施形態について説明してきたが、本発明はこれに限らず、種々の変更、改良を行うことができる。
例えば、本発明の内張り方法は、コンクリート製水槽１を補修する場合のみならず、コンクリート製水槽１を新設する場合にも適用される。即ち、コンクリート製水槽１の内面全面に本発明の方法で複数のステンレス鋼板６を内張りしておき、この状態で新規に水槽として使用してもよい。
【００２０】
また、本発明が適用されるコンクリート製水槽１は水を貯蔵できるものであれば、必ずしも底壁２、側壁３、端壁４、及び頂壁５のすべてを備える必要はなく、水槽１の形状は適宜変更されうる。
【００２１】
【発明の効果】
本発明に係るコンクリート製水槽の内張り方法によれば、鋼板取付工程において、コンクリート製水槽の内面全面に、コンクリート面に直に複数のステンレス鋼板を隣り合うステンレス鋼板が互いに部分的に重なるようにピンを打設することにより取付け、溶接工程において、鋼板取付工程により取付けられたステンレス鋼板の重ね合わせ部に全線にわたって溶接を施し、これにより、ステンレス鋼板をコンクリート製水槽の内面全面に内張りすることができる。このため、ステンレス鋼板及びスミ肉溶接部分の作用で、水密性の高い状態でひび割れした部分から漏水したり地下水の浸水等を完全防止することができる。そして、ステンレス鋼板をピンを打設することによりコンクリート製水槽の内面に取付けているので、劣化したコンクリートとともに剥がれ落ちたりする危険性がなく、耐久性にも優れたコンクリート製水槽の内張り方法とすることができる。また、従来のように、ステンレス鋼製のプレートを打ち込み式アンカーボルトにより固定する必要はなく、材料も軽く経済性に富み、かつ、作業性、施工性の優れたコンクリート製水槽の内張り方法とすることができる。
また、本発明に係るコンクリート製水槽の内張り方法によれば、ピンを打設後、ピンのフランジ部の周囲をステンレス鋼板にスミ肉溶接するので、ピン打設部からの漏水や浸水もより完全に防止できる。
【図面の簡単な説明】
【図１】本発明に係る内張り方法によってステンレス鋼板が内張りされたコンクリート製水槽の一部を断面した斜視図である。
【図２】ピン打設機によりピンを打設する方法を説明するための断面図である。
【図３】従来のコンクリート製水槽の内張り方法の概略説明図である。
【符号の説明】
１　コンクリート製水槽
２　底壁
３　側壁
４　端壁
５　頂壁
６　ステンレス鋼板
６ａ　ピン用貫通孔
７　ピン
７ａ　軸部
７ｂ　フランジ部
７ｃ　先鋭部
８　重ね合わせ部
９，１０　スミ肉溶接
１１　ピン打設機
１１ａ　ノズル
１０１　プレート
１０２　打ち込み式アンカーボルト
１０３　ステンレス鋼板
１０４　重ね合わせ部分
【図１】
2004067211.tif 000003
【図２】
2004067211.tif 000004
【図３】
2004067211.tif 000005